(57)【要約】【課題】複数個のバッテリを利用可能な集塵機を設けること。【解決手段】吸入口５を有し上部に開口があるタンク部３と、前記開口を塞ぐようにタンク部３の上方に配設される本体部２とを備え、前記本体部２には、電力で動く電動モータ１３と、前記電動モータ１３が回転することにより前記タンク部３の吸入口５に吸引力が発生するように回転するファン２４と、を備えた集塵機１であって、前記集塵機１は、複数のバッテリ取付部１２を本体部２に備えていること構成とする。【選択図】図５
2014147904.tif 000002
【特許請求の範囲】
【請求項１】
吸入口を有し上部に開口があるタンク部と、前記開口を塞ぐようにタンク部の上方に配設される本体部とを備え、前記本体部には、電力で動く電動モータと、前記電動モータが回転することにより前記タンク部の吸入口に吸引力が発生するように回転するファンと、を備えた集塵機であって、
前記集塵機は、複数のバッテリ取付部を本体部に備えていることを特徴とする集塵機。
【請求項２】
吸入口を有し上部に開口があるタンク部と、前記開口を塞ぐようにタンク部の上方に配設される本体部とを備え、前記本体部には、電力で動く電動モータと、前記電動モータが回転することにより前記タンク部の吸入口に吸引力が発生するように回転するファンと、を備えた集塵機であって、
前記集塵機は、複数のバッテリ取付部をタンク部に備えていることを特徴とする集塵機。
【請求項３】
吸入口を有し上部に開口があるタンク部と、前記開口を塞ぐようにタンク部の上方に配設される本体部とを備え、前記本体部には、電力で動く電動モータと、前記電動モータが回転することにより前記タンク部の吸入口に吸引力が発生するように回転するファンと、を備えた集塵機であって、
ＤＣ出力アダプタが備えられていることを特徴とする集塵機。
【請求項４】
請求項１乃至３の何れか１項に記載の集塵機であって、
複数のバッテリと電気的に接続可能なコントローラを本体部に備えていることを特徴とする集塵機。
【発明の詳細な説明】
【技術分野】
【０００１】
本発明は、例えば、集塵機に関する。特に、タンク部の上部に本体部を配置した集塵機に関する。
【背景技術】
【０００２】
従来から、吸入口を有したタンクの上部に、モータと吸込ファンとを備えた吸気ユニットを内蔵した本体部を載置して、モータの駆動による吸込ファンの回転により、吸入口から外気を吸い込み可能としている集塵機が知られている（特許文献１、２参照）。当該集塵機の吸入口と吸気ユニットとの間には、フィルタが介在されたり遠心分離構造が介在されたりすることで、外気と共に吸い込まれた塵埃を集塵機内部で分離することが可能となっている。
この種の集塵機は通常、商用電源として供給される交流電源（ＡＣ電源）を利用できるような構造としており、集塵機に設けられた差込プラグを家屋などに設けられたコンセントに差し込んだ状態で使用可能としている。
一方、従来この種の集塵機では通常採用されていないが、電源として充電式のバッテリを使用することがある。
当該バッテリには、出力電圧が例えば１８Ｖや３６Ｖのものが提供されている。例えば、主として手持ち工具においては、比較的小型で小出力の機種であれば１８Ｖ出力のバッテリ（１８Ｖバッテリ）が用いられ、より高出力を要する比較的大型（高出力）の切断工具等の場合にはより大型の３６Ｖ出力のバッテリ（３６Ｖバッテリ）が用いられる。
近年、園芸工具等の高出力の電動工具についてもコードレス化が図られ、これに伴って大型の３６Ｖバッテリが普及してきているが、依然としてより小型の１４.４Ｖバッテリや１８Ｖバッテリが主流であり広く普及している。また、通常電動工具の使用者は予備バッテリを複数個用意して、これを作業と並行して充電しておくことにより、バッテリを取り替えながら一台の電動工具で長時間連続して作業できるようにしている。この点でも、大型の３６Ｖバッテリよりも小型の１８Ｖバッテリの方が広く普及している。
さらに、電動工具用のバッテリは同一電源仕様の別の電動工具間で使い回しできるようになっている。１８Ｖ仕様の電動工具の機種が豊富で広く普及していることもあって、１８Ｖバッテリの普及度は３６Ｖバッテリよりも大幅に高い。
【先行技術文献】
【特許文献】
【０００３】
【特許文献１】特開２０１０−２９５９９号公報
【特許文献２】特開２００５−２０５０３３号公報
【発明の概要】
【発明が解決しようとする課題】
【０００４】
しかしながら、上記したように、吸入口を有したタンクの上部に、モータと吸込ファンとを備えた吸気ユニットを内蔵した本体部を載置して、モータの駆動による吸込ファンの回転により、吸入口から外気を吸い込み可能としている集塵機については、通常、バッテリを採用していない。これは、この種の集塵機に求められる条件を満たそうとすると、バッテリに求められる能力が高くなるが、その能力に対応するようなバッテリが普及していないことが一因であると考えられる。
【０００５】
本発明は、係る観点からなされたもので、複数個のバッテリを利用可能な集塵機を設けることを目的とする。
【課題を解決するための手段】
【０００６】
このため、本発明は、以下に記す構成の集塵機とした。
先ず、第１の発明は、吸入口を有し上部に開口があるタンク部と、前記開口を塞ぐようにタンク部の上方に配設される本体部とを備え、前記本体部には、電力で動く電動モータと、前記電動モータが回転することにより前記タンク部の吸入口に吸引力が発生するように回転するファンと、を備えた集塵機であって、前記集塵機は、複数のバッテリ取付部を本体部に備えていることを特徴とする。
【０００７】
第１の発明であれば、複数のバッテリを本体部に取り付けることが可能であるため、複数のバッテリを併せて使用することが可能となる。また、タンク部に電気部品を設ける必要が無いため、電気配線が行いやすくなり得る。
【０００８】
第２の発明は、吸入口を有し上部に開口があるタンク部と、前記開口を塞ぐようにタンク部の上方に配設される本体部とを備え、前記本体部には、電力で動く電動モータと、前記電動モータが回転することにより前記タンク部の吸入口に吸引力が発生するように回転するファンと、を備えた集塵機であって、前記集塵機は、複数のバッテリ取付部をタンク部に備えていることを特徴とする。
【０００９】
第２の発明であれば、複数のバッテリを本体部に取り付けることが可能であるため、複数のバッテリを併せて使用することが可能となる。また、比較的重量物であるバッテリを集塵機の上方に配置しなくて済むため、重量バランスがとれた集塵機を構成しやすくなる。
【００１０】
第３の発明は、吸入口を有し上部に開口があるタンク部と、前記開口を塞ぐようにタンク部の上方に配設される本体部とを備え、前記本体部には、電力で動く電動モータと、前記電動モータが回転することにより前記タンク部の吸入口に吸引力が発生するように回転するファンと、を備えた集塵機であって、ＤＣ出力アダプタが備えられていることを特徴とする。
【００１１】
第３の発明であれば、集塵機に取り込んだ電力を、ＤＣ出力アダプタを通じて外部機器に提供することができる。よって、集塵機に取り込んだ電力を、バッテリで駆動されるタイプの外部機器の運転に利用することができる。
【００１２】
第４の発明は、第１乃至第３の何れか一つの発明に、複数のバッテリと電気的に接続可能なコントローラを本体部に備えていることを特徴とする。
【００１３】
第４の発明であれば、タンク部側にコントローラが配設されておらず、電気配線を比較的簡略化することが可能である。
【発明の効果】
【００１４】
本発明を利用すれば、複数個のバッテリを利用可能な集塵機を設けることが可能となる。
【図面の簡単な説明】
【００１５】
【図１】バッテリ取付部を本体部に取り付けた態様において、バッテリを取り付けていない状態の集塵機の斜視図である。
【図２】バッテリ取付部を本体部に取り付けた態様において、バッテリの取り付け状態を示す図である。
【図３】バッテリ取付部を本体部に取り付けた態様において、保護カバーを閉じている状態の集塵機の斜視図である。
【図４】バッテリ取付部を本体部に取り付けた態様において、集塵機を前側から見た側面図である。
【図５】図４におけるＶ−Ｖ断面を表した断面図である。
【図６】図５におけるＶＩ−ＶＩ断面を表した断面図である。
【図７】バッテリ取付部をタンク部に取り付けた態様において、バッテリの取り付け状態を示す図である。
【図８】バッテリをタンク部に取り付けた態様の集塵機を後側から見た側面図である。
【図９】集塵機に付設しているＤＣ出力アダプタを電動工具に接続している状態を表す概念図である。
【図１０】電動モータの回路構造を模式化して概念的に示す概念回路図である。
【図１１】バッテリ単体の斜視図である。
【発明を実施するための形態】
【００１６】
以下に、本発明を実施するための形態について、図面を用いて説明する。なお、本明細書においては、図２に示すように、集塵機１においてタンク部３が配設されている側が下側であり、本体部２が配設されている側が上側である。また、タンク部３に設けられる吸入口５がある側が前側であり、その反対側が後側である。また、集塵機１を後側から前側に向けて見て、左右を定めている。
【００１７】
始めに、集塵機１の概略形状について、適宜図面を用いながら説明する。
この集塵機１は、車輪４を備え、上面を開口したタンク部３の上方に（図４、５、８における１点差線Ｈより上側）、吸気ユニット７を有する本体部２を載置してなる。タンク部３の前方（図５の左側）側面には、集塵ホース３８を接続可能な吸入口５が形成されている。
図５に示すように、本体部２は、吸気ユニット７を略中央に配置して、下部に設けた仕切部８をタンク部３の開口部２２上に係止させることでタンク部３を閉塞可能としている。仕切部８の中央部は、下向きへ有底筒状に突設した突出部位９となっており、突出部位９の下面中央には、吸気口１０が形成されている。上記吸気ユニット７で発生させた吸引力を当該吸気口１０を介してタンク部３に設けられた吸入口５にもたらすことで、集塵機１内に粉塵などを吸引可能に構成している。
【実施例１】
【００１８】
本実施例においては、集塵機１とは別体で設けられたコンバータやアダプタなどを介さず、集塵機１に設けられた二つのバッテリ取付部１２，１２に直接バッテリＢ１，Ｂ２を二つ取り付ける構成である。より具体的には集塵機１に一体的に備えられたバッテリ取付基台部１１に設けたバッテリ取付部１２，１２に対して直接、図１１に示されたバッテリＢ１，Ｂ２を二つ取り付ける構成である。
バッテリ取付部１２には、一対の取付レール２１，２１と、一対のバッテリ接続端子４９，４９と、爪係合部４８が設けられている。
取付レール２１は、バッテリＢ１，Ｂ２に設けられたレール部Ｂ１ｂ，Ｂ１ｃ，Ｂ２ｂ，Ｂ２ｃと係合可能である。より具体的には、一対の取付レール２１，２１の間に一対のレール部Ｂ１ｂ，Ｂ１ｃ若しくはＢ２ｂ，Ｂ２ｃを挟み込むようにして係合させながら、バッテリＢ１，Ｂ２をスライド移動させることが可能な構成である。
また、バッテリ接続端子４９，４９はバッテリＢ１，Ｂ２に設けられた正負の接続端子Ｂ１ｄ，Ｂ１ｅ若しくはＢ２ｄ，Ｂ２ｅと接続可能な構成である。バッテリ接続端子４９と、正負の接続端子Ｂ１ｄ，Ｂ１ｅ，Ｂ２ｄ，Ｂ２ｅと、が接続されることでバッテリＢ１，Ｂ２に充電された電気を本体部２に供給可能となっている。
また、爪係合部４８は、バッテリＢ１，Ｂ２に設けられたロック爪Ｂ１ｇ，Ｂ２ｇと係合可能である。より具体的には、爪係合部４８はロック爪Ｂ１ｇ，Ｂ２ｇを受け入れる方向と取付レール２１の長手方向が略垂直となるように形成されており、爪係合部４８内にロック爪Ｂ１ｇ，Ｂ２ｇが受け入れられると、バッテリＢ１，Ｂ２がスライド移動できない構成となっている。
また、バッテリを複数取り付けることが可能な構成を利用し、バッテリ単体で発生させることが可能な電圧より大きな電圧を発生させることを可能としている。この点は、図１０を用いて説明する。
図１０に示されているように、集塵機１の電動モータ１３の回転駆動は、駆動コントローラ１４及び電力コントローラ１５により制御されている。すなわち、駆動コントローラ１４及び電力コントローラ１５は、操作部１９及びシャント抵抗１４１（駆動コントローラ１４の一部）からの入力信号を受けて、ＦＥＴ回路１４２（駆動コントローラ１４の一部）に出力信号を送る。これにより、駆動コントローラ１４及び電力コントローラ１５は、電動モータ１３の回転駆動を制御している。この際、第１及び第２のバッテリ取付部１２に取り付けられているバッテリＢ１，Ｂ２は、並列方向の接続となるように回路設計されている。
【００１９】
本実施例においては、バッテリ取付部１２を本体部２の後側に設けている。バッテリ取付部１２は本体部２の後側の側面上部に左右方向に並列配置されており、本体部２の排気口１６より上部に設けられている。
バッテリ取付部１２には上下方向に延びる取付レール２１が設けられており、バッテリＢ１，Ｂ２を上方から下方に移動させることで、バッテリ取付部１２にバッテリＢ１，Ｂ２を取り付けることが可能な構成となっている。
また、本体部２にはバッテリ取付部１２を覆うことが可能な保護カバー１７を設けている。また、本体部２には、保護カバー基部５８を設けている。当該保護カバー１７と、保護カバー基部５８とは、保護カバー回転軸１７１，１７１を介して回動可能に結合されている。また、保護カバー基部５８にはバッテリ取付部１２を挟み込むように、側面視Ｌ字状の保護側壁５８１，５８１が設けられている。したがって、当該保護カバー基部５８に向けて、側面視Ｌ字状の保護カバー１７を回動させることでバッテリ取付部１２全体を覆うことが可能な構成となっている。
また、図２はバッテリＢ１，Ｂ２をバッテリ取付部１２に取り付ける状態を表した図であるが、図２の状態から保護カバー１７を閉じるようにすることで、図３に示すように、バッテリＢ１，Ｂ２が覆われることとなる。当該状態においては保護カバー１７と本体ケーシング３３の上面が略面一状となるように構成されている。なお、本体部２に設けられたハンドル部３６を収納した状態（倒した状態）及びベースフック３４を閉じた状態においては、そのいずれもの上面が略面一状となるように構成されている。
バッテリ取付部１２は本体部２内に配策される図示しない配線により、コントローラ１８に接続されている。また、当該コントローラ１８は操作部１９や電動モータ１３などの各種電気用の部品と配線により接続されている。
コントローラ１８は主として制御基板１８１を備えており、操作部１９などからの電気信号を受けて、電動モータ１３などの電動部品の動きを制御するために使用されるものである。
【００２０】
次に、集塵機１の構造を更に細かく説明する。
まず、タンク部３について説明する。
タンク部３は略四角錐台形状である。下部に車輪４を設けており、移動可能に構成されている。また、前記タンク部３の最外周を形成するようにバンパ６が設けられている。四角錐台の一側面には吸入口５が設けられており、最上部には本体部２と連通接続可能なように開口部２２が設けられている。吸入口５は、集塵ホース３８などが取り付け可能な部位であり、粉塵などをタンク部３に導入することが可能な部位である。
また、集塵機１の使用時に不具合が生じることの無いよう、本体部２の下部中央にアース線部２３も設けている。
【００２１】
次に、本体部２を説明する。
本体部２の後側面には、バッテリ取付基台部１１が備え付けられている。バッテリ取付基台部１１には二つのバッテリ取付部１２が設けられており、二つのバッテリＢ１，Ｂ２を取り付け、取り外しが可能な構成とされている。
本体部２は中央部に吸気ユニット７を設けている。本実施例の吸気ユニット７は、電動モータ１３と電動モータ１３のモータ軸１３２に接続された２枚のファン２４を有している。
なお、本実施例における電動モータ１３は、本体部２の上部に配置されたベアリングである第１ベアリング１３３と、本体部２の下部に配置されたベアリングである第２ベアリング１３４によって、上下方向に延びるモータ軸１３２を回動自在に支持している。
また、モータ軸１３２の外周側には、モータ軸１３２と略同心となるように回転子１３５が配置されている。また、回転子１３５の外周側にはモータ軸１３２及び回転子１３５と略同心となるように固定子１３６が配置されている。
また、第１ベアリング１３３に隣接して、整流子１３７を設けている。
吸気ユニット７は、主に電動モータ１３の本体側面を覆うように配置された上方カバー２５と、ファン２４の側面を覆うように配置された下方カバー２６と、電動モータ本体１３１が位置する空間とファン２４が位置する空間を仕切るように配設した中間カバー２７とを更に有している。
上方カバー２５は上部からモータ冷却風が吸い込み可能に設けられている。また、下方カバー２６にはファン２４により吸気ユニット７内にタンク部３内の空気を導入させる吸入開口２８と、吸入開口２８から吸入した空気を吸気ユニット７外へ排出する排出開口２９を備えている。
排出開口２９は、下方カバー２６の側面上部に複数設けられており、排気方向を定める排出開口ガイド部２９１が各々の排出開口２９に沿って設けられている。
また、当該吸気ユニット７は本体の下部に設けられた仕切部８に設けられた突出部位９にはめ込まれる。突出部位９の内側には緩衝部材３０としてゴムが配設されており、突出部位９と吸気ユニット７の底部が直接接触することを回避している。
また、突出部位９の下部には、タンク部３内の空気を吸気ユニット７側に導入可能な吸気口１０が設けられている。当該吸気口１０は扇形の開口であり、複数連続に配設させ、略円形状に構成するものである。吸気口１０の開口は通常の使用者が指を挿入できない程度の大きさとなっている。
なお、吸気ユニット７の周囲にはスポンジで構成された防音材３１が配設されている。
吸気ユニット７から排出された空気は、図示しない隔壁で形成された経路を通り、本体部２の後側面に設けられた排気口１６より、後方へ向けて排出される。
【００２２】
また、本実施例においては、図６に示されているように、主に電動モータ１３を冷却するために使用されるモータ冷却風を本体部２の右側から左側に向けて流すことが可能な構成としている。
図６に示すように、本体ケーシング３３内部には、電動モータ１３を冷却するために使用される冷却風通路を形成するように、立て壁３２を形成している。また、冷却風が本体部２に対して出入りできるように、本体ケーシング３３の左右側面には風窓５２，５２が形成されている。右側面に設けられた風窓５２から本体ケーシング３３内に吹き込まれたモータ冷却風は左側面に設けられた風窓５２から本体ケーシング３３外に排気される。
当該冷却風は電動モータ１３の前後に略平行に伸びるように配設された立て壁３２により冷却風のための通路が形成されている。当該立て壁３２の前側には、電動部品を動かすためのコントローラ１８が配設されている。本実施例においては、コントローラ１８の制御基板１８１に付設した放熱板３９について、立て壁３２を越えて冷却風通路内に配置している。
コントローラ１８は本体の前側の側面に配置された操作部１９と電気的に接続されている。図４に示すように、操作部１９はＡＣアダプタが差し込まれる連動コンセント４０と、集塵機１の吸引力を調整するために使用される吸引力調整ダイヤル４１と、集塵機１本体のオンオフなどを切り替え可能な切り替えスイッチ４２を備えている。
なお、切り替えスイッチ４２は集塵機１を運転するオン状態と、集塵機１を停止するオフ状態、更には、外部機器５０の運転状態に併せて集塵機１の運転状態を変更可能な連動状態と、を選択可能となっている。
ここで、連動状態で運転する方法を説明する。本実施例においては、外部機器５０に付設されたＡＣアダプタを連動コンセント４０に差し込む。連動コンセント４０に差し込んだ外部機器５０のスイッチを入れ、外部機器５０が通電されると、集塵機１の運転がオン状態となる。逆に外部機器５０のスイッチを切り、外部機器５０の通電状態が解除されると、集塵機１の運転がオフ状態となる。
本実施の形態においては、１枚の制御基板１８１（第１制御基板１８１ａ）に集塵機１全体の制御内容を定める制御部品を配置しているが、複数の制御基板１８１を備え、各々の制御基板１８１に制御部品を配置することも可能である。例えば２枚の制御基板１８１を利用した場合、第１制御基板１８１ａは図５に示したように水平状に配置し、第２制御基板１８１ｂは、立て壁３２に接するように垂直状に配置することも可能である。立て壁３２に接するように第２制御基板１８１ｂを配置した場合、立て壁３２が冷却風により冷やされることによって、間接的に第２制御基板１８１ｂが高温化することを抑制することが可能となり得る。
また、本体部２の上部には略Ｕ字形状のハンドル部３６が回動可能な状態で備えられている。図１〜５に示されている状態はハンドル部３６が収納されている状態であるが、ハンドル部３６を使用する際には、ハンドル部３６の端部に設けられたハンドル部用回転軸３６１，３６１を回動中心にして、回動させることでハンドル部３６を起立させる。当該状態にするとハンドル部３６に設けた握り部３６２を把持して集塵機１を持ち運ぶことが可能となる。なお、握り部３６２には凹凸形状の滑り止め加工が施されている。
また、本体部２の左側側面には、小物収容部５６と、小物収容部５６を覆うことが可能なベースフック３７を形成している。ベースフック３７は、ベースフック回転軸３７１、３７１を中心軸として回動可能な構成となっている。よって、ベースフック３７を回動させることで、小物収容部５６の開口部を開放したり、閉塞したりすることが可能となる。当該小物収容部５６には、集塵ホース３８と電動工具を接続するカフス５３などを収容可能である。また、小物収容部５６にはカフス５３を収容するために使用する、カフス収容部５７が形成されている。また、ベースフック３７を開放した状態においては、ベースフック３７の内側面に、小型の丸鋸などを載置可能な構成としている。
また、本体部２の後面側には外部機器５０のコードやホースやノズルなどを掛けることが可能な、掛け留め部４３が形成されている。
【００２３】
次に、フィルタ２０周りについて説明する。
集塵機１は本体部２の上流側でタンク部３内にろ過面が形成されるようにフィルタ２０を配置している。当該フィルタ２０には２種類あり、大きな塵などを取り除くために使用するプレフィルタ２０１と、細かい塵などを取り除くために使用するメインフィルタ２０２である。
プレフィルタ２０１は開口を有する袋状であり、開口が上方に向くようにタンク部３の開口部２２に沿って配置されるものである。プレフィルタ２０１は可撓性の不織布で設けられており、帯電防止加工が施されている。なお、当該帯電防止加工は任意の付加事項であり、帯電防止加工を施さないようにすることも可能である。
また、メインフィルタ２０２は上端部周囲に鍔部２０２ｂを有する有底筒状であるが、底部は通気が不能なように構成されており、筒状の側面からのみ通気可能な構造とされている。当該側面はプリーツ形式のろ過材２０２ａが配設されており、ろ過効率を高めている。
前記メインフィルタ２０２とプレフィルタ２０１の間にはダンパ５４が設けられている。ダンパ５４は円筒形状であり、スポンジにより形成されている。
ここで、ダンパ５４の使用目的について説明を加える。プレフィルタ２０１は袋状の不織布であるが、吸引力により変形する程度の可撓性を有するものである。そのため、吸引力が働いた場合、プレフィルタ２０１はメインフィルタ２０２側に接近するように変形しようとする。プレフィルタ２０１に過度な変形が生じると、ろ過効率が悪くなるが、当該ダンパ５４の存在により過度な変形を抑制することを可能としている。また、弾性力を備えるダンパ５４は、吸引力を解除した際にプレフィルタ２０１を通常の状態に復元させることを後押しするように働く。このことから、プレフィルタ２０１からの塵離れを促進する働きをするものでもある。
【００２４】
次にプレフィルタ２０１、メインフィルタ２０２及びダンパ５４の取付方法を説明する。
図５に示すように、プレフィルタ２０１の開口がタンク部３の開口部２２と略一致するような状態となるように、プレフィルタ２０１をタンク部３に載置する。
ダンパ５４はメインフィルタ２０２の鍔部２０２ｂに対して取り付け及び取り外しが可能となっているので、ダンパ５４をメインフィルタ２０２に取り付ける。タンク部３上に載置したプレフィルタ２０１に対して、ダンパ５４を取り付けた状態のメインフィルタ２０２の鍔部２０２ｂを重ねて載置する。この状態のタンク部３に対して本体部２を載置することで、タンク部３と本体部２との間にプレフィルタ２０１及びメインフィルタ２０２を挟みこむようにして固定する。なお、タンク部３と本体部２はタンク部３の外周に設けられたフック３４を本体部２に設けられたフック係止部３５に掛け合わせることで、固定可能としている。
なお、本体部２に設けられた突出部位９の径はメインフィルタ２０２の内径に比して小さくなっているため、本体部２をメインフィルタ２０２と重ね合わせても、本体部２とメインフィルタ２０２は接しない構成となっている。
【００２５】
次にバッテリについて説明する。
図１１に示すように２つのバッテリＢ１，Ｂ２は、それぞれバッテリケース内に複数本のバッテリセルを収容した１８Ｖ出力のリチウムイオンバッテリで、当該集塵機１から取り外して、別途用意した充電器により充電することにより繰り返し電源として使用することができる。両バッテリＢ１，Ｂ２は、その上面に左右一対のレール部Ｂ１ｂ，Ｂ１ｃ，Ｂ２ｂ，Ｂ２ｃを備えている。左右のレール部Ｂ１ｂ，Ｂ１ｃ間、Ｂ２ｂ，Ｂ２ｃ間には、それぞれ正負の接続端子Ｂ１ｄ，Ｂ１ｅ，Ｂ２ｄ，Ｂ２ｅを備えている。正負の接続端子Ｂ１ｄ，Ｂ１ｅ間、及び正負の接続端子Ｂ２ｄ，Ｂ２ｅ間には、制御信号送受信用のコネクタＢ１ｆ，Ｂ２ｆを備えている。
また、バッテリＢ１，Ｂ２の上面の取り外し方向手前側の端部には、当該バッテリＢ１，Ｂ２のバッテリ取付部１２，１２に対する取り付け状態をロックするためのロック爪Ｂ１ｇ，Ｂ２ｇＢ１ｇ，Ｂ２ｇが上下に進退可能に設けられている。
図１１に示すようにバッテリＢ１，Ｂ２の外形寸法について、長手方向の長さＬ、幅Ｗ、高さＨとすると、当該両バッテリＢ１，Ｂ２は長さＬ＞幅Ｗ＞高さＨの大小関係にある概ね直方体形状を有している。
本実施形態では、２つの１８ＶバッテリＢ１，Ｂ２が直列に接続されて３６Ｖバッテリとして利用される。従って電動モータ１３は、直列接続された２つの１８ＶバッテリＢ１，Ｂ２により出力される３６Ｖ電源により動作する。
【００２６】
本実施例であれば、各種電気部品が本体部２側に設けられ、タンク側には設けられていないため、電気配線を楽にすることが可能である。また、バッテリ取付部１２を並列させているため、バッテリ取付部１２とコントローラ１８の間を接続する電気配線について、二つとも同様の経路を通せばよいため、電気配線の配索について比較的容易に行うことが可能である。
また、本実施例では電気部品が本体部２側にのみ配置され、タンク部３側に配置されていない。そのため、タンク部３側の清掃に水などを使用しても問題が生じにくく、比較的汚れやすいタンク部３側の清掃を比較的簡単にすることが可能となり得る。
また、バッテリ取付部１２が本体部２に配置されているため、バッテリ取付部１２がタンク部３の集塵容量を小さくするようにはたらくことが無い。
また、バッテリ取付部１２は仕切部８に接するように隣接して配設しているため、バッテリＢ１，Ｂ２を取り付けた際の上端の位置が本体部２の上端よりも突出することが無く、バッテリ取付部１２を設けるために高さ方向のスペースを確保する必要性が無い。つまり、コンパクトな構成を維持することが可能となっている。
また、集塵機１にバッテリＢ１，Ｂ２を取り付けた状態において、バッテリＢ１，Ｂ２がバンパ６よりも後方側に突出することが無いため、バッテリＢ１，Ｂ２の破損を抑制することが可能である。
また、保護カバー１７を閉状態にしておけば、当該保護カバー１７はタンク部３の周囲に設けたバンパ６よりも内側に位置する構成であり、保護カバー１７の破損を抑制することが可能である。
また、バッテリ取付部１２やバッテリＢ１，Ｂ２が排気口１６より上側に配置されているため、吸入口５から吸い込んだ水分などが排気口１６から垂れ落ちた場合においても、当該水分がバッテリ取付部１２などに付着することが無く、漏電を抑制することが可能となる。
また、バッテリＢ１，Ｂ２を保護可能な保護カバー１７が設けられているので、粉塵や雨などを避けたい場合、保護カバー１７でバッテリＢ１，Ｂ２及びバッテリ取付部１２を覆うことで、上部からの粉塵や雨などからバッテリＢ１，Ｂ２及びバッテリ取付部１２を保護することができる。また、バッテリＢ１，Ｂ２を収容していない時には、保護カバー１７及び保護カバー基部５８で区画された領域には、集塵ホース３８の取り付けに使用するカフス５３などの小物を収容しておく事も可能である。
周囲環境が悪くない場合、保護カバー１７を開けたままにすることも可能である。保護カバー１７を開けた状態にしておけば、保護カバー１７内部に鉛筆などの小物や電動工具などを仮置きすることも可能である。
タンク部３に本体部２を載置してフック３４で固定した状態の集塵機１は、全体として頂部が略四角錐台の形状となっている。当該角錐台形状とすることにより、円錐台形状に比べて縦・横のスペースを有効に利用できるので、集塵の保有容量を確保することができる。また、上部に比べて下部が広がる構成であるため、転倒しにくい構成である。
【実施例２】
【００２７】
実施例１と実施例２との間における主要な変更点は、バッテリ取付部１２の位置がタンク部３側になることであるため、当該変更点を主に、説明する。
本実施例においては、図７及び８に示すように、タンク部３の下部でバンパ６よりも上部に二つのバッテリ取付部１２を設けている。当該バッテリ取付部１２は左右幅方向の中心寄りに、水平な状態で並列配置している。また、タンク部３には保護カバー１７を設けておらず、バッテリＢ１，Ｂ２の一部がタンク部３の側面よりも突出するように配置されるものである。なお、この状態においてもバンパ６が集塵機１の最外周に位置することは変わらない。
また、本実施例のタンク部３は、側面に設けた略長角筒形状の凹状部５５にバッテリＢ１，Ｂ２を配置できるようにした構成である。当該凹状部５５の内側上面にはバッテリ取付基台部１１が設けられており、当該バッテリ取付基台部１１には、二つのバッテリ取付部１２が設けられている。バッテリ取付部１２の各々にはバッテリＢ１，Ｂ２を挟み込むように設けられた一対の取付レール２１，２１、一対のバッテリ接続端子４９，４９、爪係合部４８、がそれぞれ設けられているのは実施例１と同様である（図示せず）。
また、本実施例では、このバッテリ取付部１２に対してバッテリＢ１，Ｂ２を下側に取り付ける構成である。図７に示すようにバッテリＢ１，Ｂ２は水平方向に移動させることにより、バッテリ取付部１２に対して取付・取り外しが可能な構成となっている。
また、図８に示すように、タンク部３には、タンク部３の開口部２２とバッテリ取付部１２との間に位置するタンク部配線４６が設けられており、タンク部配線４６の端部はタンク部側端子４４及びバッテリ接続端子４９に接続されている。タンク部側端子４４は、本体部２をタンク部３に載置した際に、本体側に設けられた本体部側端子４５と接続可能な構成である。本体部側端子４５は図示しない配線によりコントローラ１８に接続される。
また、本体部２には、実施例１には設けていない、隆起部４７を設けている。当該隆起部４７は側面視略三角形状であり、掛け留め部４３の上側に設けられている。当該隆起部４７は、掛け留め部４３と併せて若しくは単独で、コードを巻きつけるためなどに使用することが可能である。
【００２８】
本実施例であれば、比較的重量物であるバッテリＢ１，Ｂ２をタンク部３に取り付けているため、集塵機１全体の重心が安定する。そのため、タンク容量を大きくするために背の高い構造とした場合でも、バッテリ重量によりバランスを崩すことを抑制することができる。
また、タンク部３の中でも下側に設けられているため、本体部２を外した状態においても、バッテリ重量によりバランスを崩すことを抑制することができる。
また、バッテリＢ１，Ｂ２に保護カバー１７がされていないため、バッテリＢ１，Ｂ２の取り付けや取り外しが迅速に行える。
また、バッテリＢ１，Ｂ２の一部がタンク部３よりも突出した状態で取り付けられるため、バッテリＢ１，Ｂ２の取り外しが比較的容易に行える。
また、本実施例のバッテリ取付部１２はバッテリＢ１，Ｂ２を下側に取り付ける構成であるため、バッテリ取付部１２に粉塵などが堆積しにくく、バッテリ取付部１２に設けた端子などが比較的汚れにくい。
【実施例３】
【００２９】
実施例３と実施例１及び２との間における主要な変更点は、集塵機１に外部機器５０と接続可能なＤＣ出力アダプタ５１を設けたことであるため、当該変更点を主に、説明する。
集塵機１の前側面には、集塵機１と外部機器５０を接続可能なＤＣ出力アダプタ５１が設けられている。当該ＤＣ出力アダプタ５１は集塵機と一体となっているコード部５１ａとコード部５１ａの末端に接続される、外部機器接続部５１ｂを備えている。外部機器接続部５１ｂは、外部機器５０のバッテリ挿入口に挿入される部位であり、コード部５１は、外部機器接続部５１ｂとコントローラ１８を接続する電気配線を内部に収容したコードである。
集塵機１に設けられた制御手段には制御機能が設けられており、当該ＤＣ出力アダプタ５１が通電状態となった際に、集塵機１を運転する連動状態を選択可能にしている。なお、停止状態や運転状態も選択可能としている。連動状態を選択することで、外部機器５０のスイッチを入れ、ＤＣ出力アダプタ５１が通電されると、集塵機１の運転がオン状態となる。逆に外部機器５０のスイッチを切り、ＤＣ出力アダプタ５１の通電状態が解除されると、集塵機１の運転がオフ状態となる。
例えば、図９に示すように、集塵機１の吸入口５に接続した集塵ホース３８及びカフス５３を介して、集塵機１と外部機器５０（ジグソー）を接続する。また、外部機器５０であるジグソーに対してＤＣ出力アダプタ５１を接続する。ＤＣ出力アダプタ５１は矢印で記載しているように移動させることでジグソーに対して取付及び取り外しが可能となっている。
ＤＣ出力アダプタ５１が接続されたジグソーは集塵機１を介してバッテリＢ１，Ｂ２に充電された電気を得ることが可能である。
切断工具であるジグソーが運転されると、切断材が切断される。ジグソーが運転されると集塵機１も運転されるため、切断材を切断する際に発生する粉塵を集塵機１により効率的に捕集することが可能となる。
【００３０】
本実施例であれば、ＤＣバッテリを利用する外部機器５０、特に電動工具に対して、集塵機１から電気を供給することができる。
また、集塵機１側に制御機能を設けることで、外部機器５０の運転状態に併せて集塵機１の運転状態を変更可能な連動状態を選択可能とすることが可能である。
また、外部機器の運転状態に関わらず、集塵機をオン状態またはオフ状態にすることも可能である。
【００３１】
本発明は、上記実施形態のほか、各種の形態で実施可能なものである。
例えば、コントローラを仕切る立て壁に開口などを設け、モータの冷却風の流れによりコントローラを冷却可能にすることも可能である。
また、プレフィルタに帯電加工を施さないことも可能である。
また、バッテリ取付部を本体部に設ける場合において保護カバーを設けないことも可能である。
また、バッテリ取付部をタンク部に設ける場合において保護カバーを設けることも可能である。
また、バッテリ取付部は水平方向に並列に設ける必要性は無く、上下方向に並列に設けることも可能であるし、隔離した状態で設けることも可能である。例えば、操作部の両脇にバッテリ取付部を一つずつ設けることも可能であるし、冷却風の入り口側及び出口側の側面に各々一つずつ設けることも可能である。タンク部にバッテリを配設する場合においても、左右両側面に配置することも可能である。
また、バッテリは二つでなくてはならないことは無く、三つ以上の複数個とすることも可能である。
また、ＤＣ出力アダプタを設ける場合、集塵機は充電式バッテリで動かす必要性は無く、集塵機の電源はＡＣ電源を利用するものとすることも可能である。
また、ＤＣ出力アダプタで連動運転を可能にするものは、ジグソーに限ることは無く、各種切断工具やハンマドリルなど各種電動工具と連動運転させることが可能である。
また、複数のバッテリは、電圧を高めるために使用するだけではなく、電圧を変えず連続使用時間を長くするために使用することも可能である。
また、バッテリは複数個用いる場合だけではなく、一つだけ用いるものとすることも可能である。
また、立て壁でコントローラが配置されている空間と電動モータが配置されている空間を仕切る構成とせずに、コントローラが配置されている空間と電動モータが配置されている空間を共通の空間とすることも可能である。
また、バッテリやコントローラをモータ冷却風に対して、電動モータの上流側に配置することで、バッテリやコントローラの冷却効率を高めることも可能である。
また、排気通路とバッテリ取付部とを仕切る構成とせずに、連通させる構成とすることも可能である。
また、ＤＣ出力アダプタは、集塵機と一体になっている必要性は無く、集塵機に対して取り付け取り外し可能にすることも可能である。
また、分離手段はフィルタだけに限ることは無く、サイクロンを採用しても良いし、フィルタとサイクロンの分離手段を組み合わせることも可能である。
【符号の説明】
【００３２】
１      集塵機
２      本体部
３      タンク部
４      車輪
５      吸入口
６      バンパ
７      吸気ユニット
８      仕切部
９      突出部位
１０    吸気口
１１    バッテリ取付基台
１２    バッテリ取付部
１３    電動モータ
１７    保護カバー
１９    操作部
２４    ファン
５１    ＤＣ出力アダプタ
Ｂ１    バッテリ
Ｂ２    バッテリ
【図１】
2014147904.tif 000003
【図２】
2014147904.tif 000004
【図３】
2014147904.tif 000005
【図４】
2014147904.tif 000006
【図５】
2014147904.tif 000007
【図６】
2014147904.tif 000008
【図７】
2014147904.tif 000009
【図８】
2014147904.tif 000010
【図９】
2014147904.tif 000011
【図１０】
2014147904.tif 000012
【図１１】
2014147904.tif 000013